(57)【要約】【課題】携帯式インターネット接続装置の省電力方法、携帯式インターネット接続装置及びそのインスタントメッセージシステムを提供する。【解決手段】  携帯式インターネット接続装置の表示部が非可視状態、例えば、バックライトモジュールと液晶パネルともオフ状態にあるときは、利用者が表示部を利用していないことを意味する。このとき、インスタントメッセージプログラムのメッセージ更新頻度を低下させるか又は更新を行わせない。これにより、不要な無線信号の受発信を避けて、携帯式インターネット接続装置の電気消費の節減効果を図る。【選択図】図１
2010044732.tif 000002
【特許請求の範囲】
【請求項１】
携帯式インターネット接続装置の省電力方法において、
該携帯式インターネット接続装置はインスタントメッセージプログラムを実行し、
該携帯式インターネット接続装置の表示部を監視し、
該表示部が可視状態のとき、該インスタントメッセージプログラムは第１モードを実行し、
該表示部が非可視状態のとき、該インスタントメッセージプログラムは第２モードを実行し、
該インスタントメッセージプログラムが該第２モード実行のメッセージ更新頻度を該第１モード実行のメッセージ更新頻度より低く設定することを特徴とする
携帯式インターネット接続装置の省電力方法。
【請求項２】
該表示部はバックライトと液晶パネルとを含め、該表示部の可視状態又は非可視状態は、該バックライトと該液晶パネルのオン／オフ状態に関連づけることを特徴とする
請求項１記載の携帯式インターネット接続装置の省電力方法。
【請求項３】
代理サーバー（Ｐｒｏｘｙ）の提供を含め、該インスタントメッセージプログラムは該代理サーバーを接続することにより実行を開始し、該代理サーバーより、利用者識別情報をインスタントメッセージプラットフォームに入力してログイン手続きを済ませて、該代理サーバーを介して、該インスタントメッセージプラットフォームとのデータ伝送を行うことを特徴とする
請求項１記載の携帯式インターネット接続装置の省電力方法。
【請求項４】
該インスタントメッセージプログラムが該第２モード実行のとき、該代理サーバーにて、該インスタントメッセージプラットフォームの伝送データを一時保存して置き、該携帯式インターネット接続装置データ受信の頻度を低減することを特徴とする
請求項３記載の携帯式インターネット接続装置の省電力方法。
【請求項５】
該インスタントメッセージプログラムが該第１モードに復帰したときは、該代理サーバーより、一時保存していたデータを該携帯式インターネット接続装置に伝送することを特徴とする
請求項４記載の携帯式インターネット接続装置の省電力方法。
【請求項６】
該代理サーバーは最新データのみを一時保存することを特徴とする
請求項５記載の携帯式インターネット接続装置の省電力方法。
【請求項７】
該代理サーバーは該携帯式インターネット接続装置に接続する無線通信基地局を介して、該携帯式インターネット接続装置の呼出し信号（ｐａｇｉｎｇ）を受信し、該呼出し信号をもとに、該インスタントメッセージプログラムの実行状態を判断することを特徴とする
請求項３記載の携帯式インターネット接続装置の省電力方法。
【請求項８】
該インスタントメッセージプログラムを実行し、接続無中断メッセージ、又は対話（ｃｏｎｖｅｒｓａｔｉｏｎ）無中断メッセージを中止させ、該代理サーバーは判断結果をもとに、該接続無中断メッセージ又は該対話無中断メッセージを該インスタントメッセージプラットフォームへの伝送を選択することを特徴とする
請求項７記載の携帯式インターネット接続装置の省電力方法。
【請求項９】
該代理サーバーより継続的に、確認メッセージを該携帯式インターネット接続装置に送信し、該確認メッセージの送達をもとに、該インスタントメッセージプログラムの実行状態を判断することを選択させることを特徴とする
請求項３記載の携帯式インターネット接続装置の省電力方法。
【請求項１０】
該インスタントメッセージプログラムは、該インスタントメッセージプラットフォームに接続することにより実行を開始し、利用者識別情報を該インスタントメッセージプラットフォームに入力し、ログイン手続きを済ませて、該インスタントメッセージプラットフォームとのデータ伝送を開始し、該インスタントメッセージプログラムが第２モード実行のとき、該インスタントメッセージプラットフォームにて、該携帯式インターネット接続装置に送信されるデータを一時保存して置く、該携帯式インターネット接続装置のデータ受信頻度を低減することを特徴とする
請求項１記載の携帯式インターネット接続装置の省電力方法。
【請求項１１】
無線ネットワーク伝送部と、表示部と、インスタントメッセージ部と、処理部と、電源供給ユニットと、を備える携帯式インターネット接続装置において、
該インスタントメッセージ部は、該無線ネットワーク伝送部を介して、インスタントメッセージの受発信を行い、
該処理部は、該無線ネットワーク伝送部と、該インスタントメッセージ部と該表示部に電気的に接続し、
該処理部は、該表示部の可視状態又は非可視状態の制御を提供し、
該電源供給ユニットは、該携帯式インターネット接続装置の稼働電力を提供し、
該表示部が可視状態のとき、該インスタントメッセージ部は第１モードを実行し、
該表示部が非可視状態のとき、該インスタントメッセージ部は第２モードを実行し、かつ、
該インスタントメッセージ部の該第２モード実行中のメッセージ更新頻度を該第１モード実行中のメッセージ更新頻度より低く設定することを特徴とする
インターネット接続装置の省電力方法。
【請求項１２】
該表示部はバックライトと液晶パネルとを含め、該表示部の可視状態又は非可視状態は、該バックライトと該液晶パネルのオン／オフ状態に関連づけることを特徴とする
請求項１１記載の携帯式インターネット接続装置。
【請求項１３】
インスタントメッセージプログラムが該第２モード実行のとき、代理サーバーにて、インスタントメッセージプラットフォームの伝送データを一時保存しておく、該携帯式インターネット装置データ受信の頻度を低減することを特徴とする
請求項１１記載の携帯式インターネット接続装置。
【請求項１４】
該インスタントメッセージプログラムが該第２モード実行のとき、該代理サーバーにて、インスタントメッセージプラットフォームの伝送データを一時保存して置き、該携帯式インターネット接続装置データ受信の頻度を低減することを特徴とする
請求項１３記載の携帯式インターネット接続装置。
【請求項１５】
該インスタントメッセージ部はインスタントメッセージプラットフォームに接続することにより実行開始し、利用者識別情報を該インスタントメッセージプラットフォームに入力し、ログイン手続きを済ませて、該インスタントメッセージプラットフォームとのデータ伝送を開始し、インスタントメッセージプログラムが該第2モード実行のとき、該インスタントメッセージプラットフォームにて、該携帯式インターネット接続装置に送信されるデータを一時保存して置き、該携帯式インターネット接続装置のデータ受信頻度を低減することを特徴とする
請求項１１記載の携帯式インターネット接続装置。
【請求項１６】
インスタントメッセージシステムにおいて、
代理サーバーは、インスタントメッセージプラットフォームと接続を確立し、及び
携帯式インターネット接続装置は、該代理サーバーとの接続を確立し、インスタントメッセージコードを実行し、該代理サーバーより、利用者識別情報を該インスタントメッセージプラットフォームに入力して、ログイン手続きを済ませて、該ログイン手続きを完了し、かつ、該携帯式インターネット接続装置は該代理サーバーを介して、該インスタントメッセージプラットフォームとデータ伝送を行い、
該代理サーバーが携帯式インターネット接続装置のアイドル状態を検出したとき、該代理サーバーは、該インスタントメッセージプラットフォームからの受信データを一時保存して置き、該携帯式インターネット接続装置のデータ受信頻度を低減することを特徴とする
インスタントメッセージシステム。
【請求項１７】
該代理サーバーが該携帯式インターネット接続装置の非アイドル状態を検出したとき、該代理サーバーは、一時保存されたデータを該携帯式インターネット接続装置に伝送することを特徴とする
請求項１６記載のインスタントメッセージシステム。
【請求項１８】
該携帯式インターネット接続装置の表示部が非可視状態のとき、実行中の該インスタントメッセージコードは、該代理サーバーに、該携帯式インターネット接続装置のアイドル状態を通知し、該携帯式インターネット接続装置の表示部が可視状態のとき、実行中の該インスタントメッセージコードは、該代理サーバーに、該携帯式インターネット接続装置が非アイドル状態のことを通知することを特徴とする
請求項１６記載のインスタントメッセージシステム。
【請求項１９】
該携帯式インターネット接続装置の表示部はバックライトと液晶パネルとを含め、該表示部の可視状態又は非可視状態は、該バックライトと該液晶パネルのオン／オフ状態に関連づけることを特徴とする
請求項１８記載のインスタントメッセージシステム。
【請求項２０】
該代理サーバーは最新データのみを一時保存することを特徴とする
請求項１６記載のインスタントメッセージシステム。
【請求項２１】
該代理サーバーは該携帯式インターネット接続装置に接続する無線通信基地局を介して、該携帯式インターネット接続装置の呼出し信号(ｐａｇｉｎｇ)を受信し、該呼出し信号をもとに、インスタントメッセージプログラムの実行状態を判断することを特徴とする
請求項１６記載のインスタントメッセージシステム。
【請求項２２】
該代理サーバーより継続的に、確認メッセージを該携帯式インターネット接続装置に送信し、該確認メッセージの送達をもとに、該インスタントメッセージプログラムの実行状態を判断することを特徴とする
請求項１６記載のインスタントメッセージシステム。
【請求項２３】
実行中の該インスタントメッセージコードにより、接続無中断メッセージ、又は対話(ｃｏｎｖｅｒｓａｔｉｏｎ)無中断メッセージを中止させ、該代理サーバーはその判断結果をもとに、該接続無中断メッセージ又は該対話無中断メッセージを該インスタントメッセージプラットフォームへの伝送を選択することを特徴とする
請求項２１記載のインスタントメッセージシステム。
【発明の詳細な説明】
【技術分野】
【０００１】
本発明は携帯式インターネット接続装置の省電力方法に関わり、特に携帯式インターネット接続装置のインスタントメッセージサービスの消費電力を低減する方法に関わる。
【背景技術】
【０００２】
現在、携帯電話、又はインスタントメッセージ装置などの携帯式インターネット接続装置によるインスタントメッセージサービスの利用の人が多く増えつつある。しかしながら、携帯式装置をインターネットに接続して、インスタントメッセージサービスを利用する場合、その電力の利用時間を如何に長くすることが重要な課題となっている。
このほか、利用者の携帯式インターネット接続装置がアイドル状態であっても、インスタントメッセージのプログラムの実行を中止しない限り、インスタントメッセージのプログラムは引き続きに、インスタントメッセージプラットフォームと頻繁にデータ交換をするため、携帯式インターネット接続装置に不要な電気消費が強いられる。
【発明の開示】
【発明が解決しようとする課題】
【０００３】
利用者がインスタントメッセージプラットフォームにログインした後、すべてのコンタクト先の状態を更新するため、携帯式装置はサーバープラットフォームと、絶えずに更新データを互いに伝送される。一方、利用者のコンタクト先の数が多いほど、携帯式インターネット接続装置がダウンロードする更新データ量も膨大となり、携帯式インターネット接続装置の電力消耗も多くなる。
本発明は、前記した公知技術の問題点に鑑みてなされたもので、携帯式インターネット接続装置に不要な電気消費を避けられる携帯式インターネット接続装置の省電力方法、携帯式インターネット接続装置及びそのインスタントメッセージシステムを提供することを主な目的とする。
【課題を解決するための手段】
【０００４】
本発明のもう一つの目的は、該携帯式インターネット接続装置に所定のインスタントメッセージプログラムを実行させる、携帯式インターネット接続装置の省電力方法を提供することにある。本発明による省電力方法は以下の手順を含める。まず、携帯式インターネット接続装置の表示部をモニタして、表示部が可視状態のときに第１モードを、表示部が非可視状態のときに第２モードを、それぞれにインスタントメッセージプログラムに実行させる。そのうち、インスタントメッセージプログラムが第２モードにおいて実行されるメッセージ更新頻度は第１モードよりも低く設定される。
【０００５】
なお、該表示部はバックライトと液晶パネルとを含め、該表示部の可視状態又は非可視状態は、該バックライトと該液晶パネルのオン／オフ状態に関連付けられる。
【０００６】
本発明による省電力方法はさらに代理サーバーを含める。インスタントメッセージプログラムの実行時に、該代理サーバーと接続して、該代理サーバーを介して、利用者識別情報をインスタントメッセージプラットフォームに伝送してログイン手続きを済ませると共に、該代理サーバーを介して、該インスタントメッセージプラットフォームとデータ伝送を行う。
【０００７】
次に、インスタントメッセージプログラムが第２モードを実行するとき、代理サーバーより該インスタントメッセージプラットフォームからのデータを一時保存して、携帯式インターネット接続装置のデータ受信頻度を低減させる。
【０００８】
代理サーバーは携帯式インターネット接続装置に接続する無線通信基地局を介して、携帯式インターネット接続装置の呼出し信号（ｐａｇｉｎｇ）を受信し、該呼出し信号をもとに、該インスタントメッセージプログラムの実行状態を判断する。
【０００９】
本発明のさらに一つの目的は、無線ネットワーク伝送部と、表示部と、インスタントメッセージ部と、処理部と、電源供給ユニットとを備える、携帯式インターネット接続装置を提供することにある。インスタントメッセージ部は無線ネットワーク伝送部を介して、インスタントメッセージの受発信を行う。処理部は、無線ネットワーク伝送部と、インスタントメッセージ部と表示部とを電気的に接続し、表示部の可視状態又は非可視状態の制御を行う。電源供給ユニットは、携帯式インターネット接続装置の稼働電力を提供する。そこで、表示部が可視状態のとき、インスタントメッセージ部は第１モードを実行し、表示部が非可視状態のとき、インスタントメッセージ部は第２モードを実行する。また、インスタントメッセージ部の第２モード実行中のメッセージ更新頻度が第１モード実行中のメッセージ更新頻度よりも低く設定される。
【００１０】
なお、該表示部はバックライトと液晶パネルを含め、該表示部の可視状態又は非可視状態は、該バックライトと該液晶パネルのオン／オフ状態に関連づけられる。
【００１１】
インスタントメッセージ部は代理サーバーに接続され、該代理サーバーを介して、利用者識別情報をインスタントメッセージプラットフォームに伝送してログイン手続きを済ませると共に、代理サーバーを介して、インスタントメッセージプラットフォームとデータ伝送を行う。
【００１２】
本発明のさらに一つの目的は、代理サーバーと携帯式インターネット接続装置を含める、インスタントメッセージシステムを提供することにある。代理サーバーはインスタントメッセージプラットフォームと、携帯式インターネット接続装置は代理サーバーとの接続をそれぞれ確立した上、インスタントメッセージプログラムを実行し、代理サーバーを介して利用者識別情報をインスタントメッセージプラットフォームに伝送してログイン手続きを済ませると共に、携帯式インターネット接続装置は代理サーバーを介して、インスタントメッセージプラットフォームとデータ伝送を行う。また、代理サーバーは、携帯式インターネット接続装置のアイドル状態を検出したとき、インスタントメッセージプラットフォームからの受信データを一時保存しておき、該携帯式インターネット接続装置のデータ受信頻度を低減させる。
【００１３】
代理サーバーは携帯式インターネット接続装置が非アイドル状態を検出したとき、代理サーバーに一時保存されていたデータを携帯式インターネット接続装置に伝送する。
【００１４】
また、携帯式インターネット接続装置の表示部が非可視状態のとき、実行中のインスタントメッセージプログラムより、携帯式インターネット接続装置がアイドル状態と代理サーバーに通知し、可視状態のとき、実行中のインスタントメッセージプログラムより、携帯式インターネット接続装置が非アイドル状態と代理サーバーに通知する。
【００１５】
なお、該携帯式インターネット接続装置の表示部はバックライトと液晶パネルを含め、該表示部の可視状態又は非可視状態は、該バックライトと該液晶パネルのオン／オフ状態に関連づけられる。
【００１６】
代理サーバーは、携帯式インターネット接続装置が接続する無線通信基地局を介して、携帯式インターネット接続装置の呼出し信号（ｐａｇｉｎｇ）を受信し、該呼出し信号をもとに、該インスタントメッセージプログラムの実行状態を判断する。
【発明の効果】
【００１７】
前記の説明から、本発明による携帯式インターネット接続装置の省電力方法、携帯式インターネット接続装置及び該インスタントメッセージプログラムによれば、以下の一つ又は複数の長所を有する。
（イ）本発明による携帯式インターネット接続装置がアイドル状態のときに、インスタントメッセージプログラムの電気消費を確実に低減できる。
（ロ）利用者のコンタクト先の数が増えたとき、本発明による携帯式インターネット接続装置は、消費電力の増加度合いを確実に低減できる。
【発明を実施するための最良の形態】
【００１８】
＜実施例１＞
図１は、本発明によるインスタントメッセージシステムの実施例１のブロック図を示す。この図において、インスタントメッセージシステム１は、携帯式インターネット接続装置１１と、代理サーバー（Ｐｒｏｘｙ）１０とを含める。携帯式インターネット接続装置１１は、無線ネットワーク伝送部１２と、表示部１３と、インスタントメッセージ部１４と、処理部１５と電源供給ユニット１６とを含める。電源供給ユニット１６は、携帯式インターネット接続装置１１の稼働電力を提供する。インスタントメッセージ部１４は、無線ネットワーク伝送部１２を介して代理サーバー１０に接続されると共に、代理サーバー１０を介して、利用者識別情報１４１をインスタントメッセージプラットフォーム１９１に伝送してログイン手続きを完成した後、インスタントメッセージ部１４は代理サーバー１０を介して、インスタントメッセージプラットフォーム１９１とデータ伝送を行い、代理サーバー１０はインスタントメッセージプラットフォーム１９１からの送信データを受信すると、直ちにインスタントメッセージ部１４に伝送する。特に注意したいことは、無線ネットワーク伝送部１２を有線無線ネットワーク伝送部に代わることもできる。
【００１９】
一例として、インスタントメッセージ部１４はＩＰアドレス又は接続ポートＩＤなどの携帯式インターネット接続装置１１の現時点のネットワーク接続関連データをインスタントメッセージプラットフォーム１９１にアップロードして、遠隔側のインターネット装置１９２の読み取りに供する。同じく、利用者の友だちはすでにインターネット装置１９２により、インスタントメッセージプラットフォーム１９１に登録しておけば、インスタントメッセージ部１４はインスタントメッセージプラットフォーム１９１に保存されたインターネット装置１９２のネットワーク接続関連データに基づいて、代理サーバー１０を介して、アドレス情報とインスタントメッセージの受発信ができる。さらに、インスタントメッセージ部１４は代理サーバー１０を介して、インスタントメッセージプラットフォーム１９１へのオン／オフする対話を行うことができる。
【００２０】
処理部１５は、無線ネットワーク伝送部１２と、インスタントメッセージ部１４と表示部１３とを電気的に接続し、処理部１５は表示部１３の可視状態又は非可視状態の制御を提供する。一例として、処理部１５は設定時間内に、利用者による触発信号の入力がないとき、利用者は設定時間内に、携帯式インターネット接続装置１１を操作しいないことを意味する。そこで、携帯式インターネット接続装置１１の電気消費を節約し、使用時間を長くするため、処理部１５より表示部１３を非可視状態の変更制御を行い、表示部１３の電気消費を節約する。一方、利用者現在は携帯式インターネット接続装置１１を使用していないため、表示部１３を非可視状態に変更することは、利用者はその影響を受けていない。表示部１３が非可視状態のとき、携帯式インターネット接続装置１１のアイドル状態（Ｉｄｌｅ）と見なされる。処理部１５はその後の利用者より入力された触発信号を受信したとき、表示部１３を可視状態に制御変更して、利用者の操作に便ならしめる。
【００２１】
表示部１３は、バックライト１３１と液晶パネル１３２を含める。表示部１３の可視状態又は非可視状態はバックライト１３１と液晶パネル１３２とのオン／オフに関連づけは、携帯式インターネット接続装置１１の設計者より定義できる。例えば、バックライト１３１がオフ、かつ、液晶パネル１３２もオフのとき、表示部１３を非可視状態と見なす。これに対して、バックライト１３１がオン、かつ、液晶パネル１３２もオンのとき、又はバックライト１３１がオフ、かつ、液晶パネル１３２がオンのとき、表示部１３を可視状態と見なすなどができる。設計者は、バックライト１３１がオフ、かつ、液晶パネル１３２がオンのときに、表示部１３を非可視状態と見なすことができる。
【００２２】
表示部１３が非可視状態のとき、利用者はインスタントメッセージプラットフォーム１９１上の他のコンタクト先のオンライン状態を気にしていないことを意味する。このとき、インスタントメッセージ部１４のメッセージ更新頻度を低下させる。すなわち、インスタントメッセージプラットフォーム１９１とのデータ交換回数を減らすか、又はインスタントメッセージプラットフォーム１９１とのデータ受信頻度を減らすことで、無線ネットワーク伝送部１２の電気消費を低減させると共に、インスタントメッセージ部１４より通知メッセージ１４２を代理サーバー１０に送信し、代理サーバー１０に携帯式インターネット接続装置１１の現時点のアイドル状態を通知して、代理サーバー１０より必要に応じて、必要な応答を行わせる。例えば、代理サーバー１０により、他のコンタクト先の状況更新データなどをそのままインスタントメッセージ部１４に送信しないで、インスタントメッセージプラットフォーム１９１の一時データ１０１を保存して置き、インスタントメッセージ部１４から代理サーバー１０に送信許可の通知を受信してから、データ伝送を行うことができる。これにより、該携帯式インターネット接続装置のデータ受信頻度を確実に低減できる。なお、一時データ１０１に最新データのみを含まれているため、インスタントメッセージ部１４の受信データが最新もので、かつ、データ量も少なくなる。
【００２３】
引き続きに、表示部１３が可視状態のとき、インスタントメッセージ部１４は代理サーバー１０に対して、携帯式インターネット接続装置１１の現時点は非アイドル状態のことを通知し、代理サーバー１０より一時データ１０１をインスタントメッセージ部１４に伝送することができる。
【００２４】
＜実施例２＞
図２は、本発明によるインスタントメッセージシステムの実施例２のブロック図を示す。利用者がいずれの操作をしていないとき、インスタントメッセージ部１４はバックグランド操業にて、定期的に接続中断メッセージ又は対話（ｃｏｎｖｅｒｓａｔｉｏｎ）無中断メッセージをインスタントメッセージプラットフォーム１９１に送信する。インスタントメッセージ部１４がログインした後は、定期的に接続無中断メッセージを含めたパケットをインスタントメッセージプラットフォーム１９１に送信し、インスタントメッセージプラットフォーム１９１に該インスタントメッセージ部１４とインスタントメッセージプラットフォーム１９１との接続が中断していないことを連絡する。利用者がいずれかのコンタクト先との対話を始めると、インスタントメッセージ部１４は定期的に対話無中断のメッセージパケットをインスタントメッセージプラットフォーム１９１に送信し、インスタントメッセージプラットフォーム１９１に対話が中断されていないことを通知する。しかし、前記の無中断メッセージが定期的に送信されることは、無線ネットワーク伝送部１２にとって、大量な電気消費となる。
【００２５】
よって、図２に示すよう、インスタントメッセージシステム２とインスタントメッセージシステム１との違いは、代理サーバー２０を携帯式インターネット接続装置１１の無線通信基地局２９に接続することにより、携帯式インターネット接続装置１１の呼出し信号２９１（ｐａｇｉｎｇ）を受信する。携帯式インターネット接続装置１１と無線接続するときは、まず、無線通信基地局２９との接続を確立してから、携帯式インターネット接続装置１１と無線通信基地局２９との間は呼出し信号２９１を定期的に送信される。このために、代理サーバー２０は呼出し信号２９１をもとに、インスタントメッセージ部１４の稼働状態を確認できる。
【００２６】
まずは、インスタントメッセージ部１４の接続無中断メッセージ又は対話（ｃｏｎｖｅｒｓａｔｉｏｎ）無中断メッセージの定期送信機能を中止させ、代理サーバー２０より接続中断メッセージをインスタントメッセージプラットフォーム１９１に送信するか、又は利用者により対話を起動されるとき、代理サーバー２０より対話無中断のメッセージをインスタントメッセージプラットフォーム１９１に送信させる。これにより、無線ネットワーク伝送部１２の電気消費は低減される。一方、代理サーバー２０は以下の処理を実行する。
（イ）代理サーバー２０は呼出し信号２９１をもとに、インスタントメッセージ部１４のログアウトを判断した場合、接続無中断メッセージをインスタントメッセージプラットフォーム１９１に送信し、インスタントメッセージ部１４に代わって、ログアウトメッセージをインスタントメッセージプラットフォーム１９１に送信される。
（ロ）代理サーバー２０は呼出し信号２９１をもとに、インスタントメッセージ部１４は現時点に応答できないことを判断した場合、一定時間経過後、インスタントメッセージ部１４なお応答がないとき、代理サーバー２０は接続無中断メッセージをインスタントメッセージプラットフォーム１９１への送信を中止し、インスタントメッセージ部１４に代わって、ログアウトメッセージをインスタントメッセージプラットフォーム１９１に送信される。
（ハ）利用者が対話機能を中止すると、代理サーバー２０は対話無中断のメッセージをインスタントメッセージプラットフォーム１９１に伝送される。
【００２７】
代理サーバー２０は、呼出し信号によるインスタントメッセージ部１４の稼働を確認する手段のほか、確認メッセージを携帯式インターネット接続装置１１に継続的に伝送することにより、該確認メッセージが送達か否かをインスタントメッセージ部１４の稼働状態を判断し、この方式を呼出し信号による判断方式に代わる。
【００２８】
前記のインスタントメッセージ部１４を実現する方法は、マイクロプロセッサーがインスタントメッセージプログラムの実行により、前記のインスタントメッセージサービスを提供するか、又はインスタントメッセージプログラムを内蔵されたチップを実行することができる。前段における稼働中のインスタントメッセージ部１４について、実務上はマイクロプロセッサーによるンスタントメッセージプログラムの実行、又はインスタントメッセージプログラムを内蔵されたチップの実行による。
【００２９】
＜実施例３＞
図７に、本発明によるインスタントメッセージシステムの実施例３のブロック図を示す。図示の通り、実施例３と前記の実施例との違いは、インスタントメッセージ部１４は、無線ネットワーク伝送部１２により、インスタントメッセージプラットフォーム１９１との接続を確立し、利用者識別情報１４１をインスタントメッセージプラットフォーム１９１に入力してログイン手続きを済ませる。さらに、インスタントメッセージ部１４はログインの後に、インスタントメッセージプラットフォーム１９１とのデータ伝送を行うことができる。表示部１３が非可視状態のとき、インスタントメッセージ部１４より通知メッセージ１４２をインスタントメッセージプラットフォーム１９１に送信し、インスタントメッセージプラットフォーム１９１に、携帯式インターネット接続装置１１のアイドル状態を通知し、インスタントメッセージプラットフォーム１９１は必要に応じて、対応動作する。例えば、インスタントメッセージプラットフォーム１９１は携帯式インターネット接続装置１１へのデータ伝送の再開通知を入手するまでに、他のコンタクト先の状況更新データなど、携帯式インターネット接続装置１１の一時データ１０１をインスタントメッセージプラットフォーム１９１一時保存しておく、該一時データ１０１を携帯式インターネット接続装置１１への送信を中止させる。これにより、携帯式インターネット接続装置１１のデータ受信頻度を確実に低減する。なお、実施例３ほかの内容は実施例１に類似するため、ここでの詳細説明を省略する。
【００３０】
そして、インスタントメッセージ部１４がメッセージ更新頻度を低下すると、代理サーバー１０はメッセージ更新頻度の低下による問題の解決に助けることができる。ただし、実務において代理サーバー１０は必需装置でない。インスタントメッセージ部１４は代理サーバー１０を設けないままで、メッセージ更新頻度を低下することができる。これにより、携帯式インターネット接続装置１１の消費電力の節約効果を実現できる。
【００３１】
図３は、本発明による携帯式インターネット接続装置の省電力方法の手順フロー図を示す。この図において、本発明による省電力方法は以下の手順を含める。手順３１において、携帯式インターネット接続装置の表示部の監視を行い、該携帯式インターネット接続装置より、インスタントメッセージプログラムを実行し、利用者識別情報をインスタントメッセージプラットフォームに入力して、ログイン手続きを完成する。ログインした後は、インスタントメッセージプラットフォームとデータ伝送できる。手順３２において、表示部が可視状態か否かを判断する。このとき、表示部が可視状態のとき、例えば、表示部のバックライトと液晶パネルともオン状態であれば、利用者は表示画面を見ることができる。手順３３において、インスタントメッセージプログラムが第１モードを実行、該第１モードはインスタントメッセージプログラムが正常にデータを受発信するモードである。そこで、表示部が非可視状態のとき、例えば、表示部のバックライトと液晶パネルともオフ状態であれば、利用者は表示画面を見ることができない。このときは、手順３４において、インスタントメッセージプログラムに第２モードを実行させ、かつ、インスタントメッセージプログラムの第２モードにおけるメッセージ更新頻度を第１モードにおける更新頻度より低く設定する。インスタントメッセージプログラムより、インスタントメッセージプラットフォームに、携帯式インターネット接続装置が第２モード実行中のことを通知すると、インスタントメッセージプラットフォームは携帯式インターネット接続装置へのデータ伝送の再開が通知されるまで、インスタントメッセージプラットフォームより、携帯式インターネット接続装置に伝送されるデータを一時保存して、携帯式インターネット接続装置とのデータ伝送を中止させる。これにより、携帯式インターネット接続装置のデータ受信頻度を確実に低減する。
【００３２】
携帯式インターネット接続装置は、利用者は所定の時間に操作がないと、アイドルモードが実行され、表示部は非可視状態のとき、メッセージ更新頻度を低下させるか、又は無線データの受発信を中止させるなど、携帯式インターネット接続装置の電気消費を低減する。
【００３３】
図４は本発明による携帯式インターネット接続装置の省電力方法の実施例１の手順フロー図を示す。図示の通り、該省電力方法は携帯式インターネット接続装置に実施され、以下の手順を含める。手順４１において、インスタントメッセージプラットフォーム接続の代理サーバーを設置する。手順４２において、インスタントメッセージプログラムを実行し、代理サーバーより、利用者識別情報をインスタントメッセージプラットフォームに入力して、ログイン手続きを済ませて、代理サーバーを介して、インスタントメッセージプラットフォームとのデータ伝送を行う。手順４３において、表示部が可視状態か否かを判断する。表示部が非可視状態のとき、手順４４において、インスタントメッセージプログラムのデータ受信頻度を中止し、代理サーバーに通知する。引き続きに、手順４５において、代理サーバーにて、インスタントメッセージプラットフォームからのデータを一時保存する。そのうち、一時保存されるデータは、最新データのみである。引き続きに、手順４６において、表示部が可視状態であるか否かを判断し、非可視状態のとき、手順４５を実行する。可視状態のとき、手順４７において、インスタントメッセージプログラムのデータ送受信を再開させる共に、代理サーバーで一時保存されたデータを携帯式インターネット接続装置に伝送させる。
【００３４】
図５は、本発明による携帯式インターネット接続装置の省電力方法の実施例２の手順フロー図を示す。図示の通り、該省電力方法は携帯式インターネット接続装置に実施され、以下の手順を含める。手順５１において、無線通信基地局にて、インスタントメッセージプラットフォームと接続する代理サーバーを設置する。手順５２において、インスタントメッセージプログラムを実行し、代理サーバーより、利用者識別情報をインスタントメッセージプラットフォームに入力して、ログイン手続きを済ませて、代理サーバーを介して、インスタントメッセージプラットフォームとのデータ伝送を行う。手順５３において、インスタントメッセージプログラムによる接続無中断メッセージの伝送機能を中止させ、代理サーバーより無線中断メッセージをインスタントメッセージプラットフォームに伝送する。手順５４において、代理サーバーは無線通信基地局を介して、携帯式インターネット接続装置の呼出し信号を受信する。手順５５において、代理サーバーは呼出し信号をもとに、インスタントメッセージプログラムのログアウトを判断する。ログアウトされた場合は、手順５６において、代理サーバーの無線無中断メッセージをインスタントメッセージプラットフォームへの送信を中止させ、ログアウトメッセージをインスタントメッセージプラットフォームに送信する。ログアウトしていない場合は、手順５７において、呼出し信号をもとに、インスタントメッセージプログラム応答の可否を判断し、応答可能のとき、手順５４を実行する。
【００３５】
インスタントメッセージプログラムに応答できないとき、手順５８において、一定時間経過後、再び呼出し信号をもとに、インスタントメッセージプログラムに応答可否を判断する。応答可能のときは、手順５４を実行し、応答不可のときは、手順５６を実行する。
【００３６】
このほか、利用者より対話を開始されると、代理サーバーは定期的に対話無中断のメッセージをインスタントメッセージプラットフォームに送信される。代理サーバーが呼出し信号をもとに、インスタントメッセージプログラムのログアウトを判断したとき、代理サーバーはインスタントメッセージプラットフォームへの対話無中断メッセージの伝送を中止する。
【００３７】
図６に、本発明による携帯式インターネット接続装置の省電力方法の実施例３の手順フロー図を示す。図示の通り、実施例３と実施例２との違いは、手順６４と手順６５を手順５４と手順５５に代わるところにある。手順６４において、代理サーバーより、確認メッセージを携帯式インターネット接続装置へ継続的に伝送する。手順６５において、代理サーバーは確認メッセージをもとに、インスタントメッセージプログラムのログアウトを確認し、ログアウトした場合は、手順５６を実行し、ログアウトしていない場合は、手順５７を実行する。以上は実施例の列挙であり、本発明になんらの制限を加わるものではない。本発明の精神と範疇を逸脱しない限り、その等効果修正又は変更は、なお、本特許請求の範囲に含まれるものとする。
【図面の簡単な説明】
【００３８】
【図１】本発明によるインスタントメッセージシステムの実施例１のブロック図である。
【図２】本発明によるインスタントメッセージシステムの実施例２のブロック図である。
【図３】本発明による携帯式インターネット接続装置の省電力方法の手順フロー図である。
【図４】本発明による携帯式インターネット接続装置の省電力方法の実施例１の手順フロー図である。
【図５】本発明による携帯式インターネット接続装置の省電力方法の実施例２の手順フロー図である。
【図６】本発明による携帯式インターネット接続装置の省電力方法の実施例３の手順フロー図である。
【図７】本発明によるインスタントメッセージシステムの実施例３のブロック図である。
【符号の説明】
【００３９】
１，２        インスタントメッセージシステム
１０，２０    代理サーバー
１０１        一時データ
１１          携帯式インターネット接続装置
１２          無線ネットワーク伝送部
１３          表示部
１３１        バックライト
１３２        液晶パネル
１４          インスタントメッセージ部
１４１        利用者識別情報
１４２        通知メッセージ
１５          処理部
１６          電源供給ユニット
１９１        インスタントメッセージプラットフォーム
１９２        インターネット装置
２９          無線通信基地局
２９１        呼出し信号
２９２        接続無中断メッセージ
２９３        会話無中断メッセージ
３１〜３４，４１〜４７，５１〜５８，６４，６５      手順フロー
【図１】
2010044732.tif 000003
【図２】
2010044732.tif 000004
【図３】
2010044732.tif 000005
【図４】
2010044732.tif 000006
【図５】
2010044732.tif 000007
【図６】
2010044732.tif 000008
【図７】
2010044732.tif 000009
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
携帯式インターネット接続装置の省電力方法において、
該携帯式インターネット接続装置はインスタントメッセージプログラムを実行し、
該携帯式インターネット接続装置の表示部を監視し、
該表示部が可視状態のとき、該インスタントメッセージプログラムは第１モードを実行し、
該表示部が非可視状態のとき、該インスタントメッセージプログラムは第２モードを実行し、
該インスタントメッセージプログラムが該第２モード実行のメッセージ更新頻度を該第１モード実行のメッセージ更新頻度より低く設定することを特徴とする
携帯式インターネット接続装置の省電力方法。
【請求項２】
該表示部はバックライトモジュールと液晶パネルとを含み、該表示部の該可視状態又は該非可視状態は、該バックライトモジュールと該液晶パネルのオン／オフ状態に関連づけることを特徴とする
請求項１記載の携帯式インターネット接続装置の省電力方法。
【請求項３】
代理サーバー（Ｐｒｏｘｙ）の提供を含み、該インスタントメッセージプログラムは該代理サーバーを接続することにより実行を開始し、該代理サーバーより、利用者識別情報をインスタントメッセージプラットフォームに入力してログイン手続きを済ませて、該代理サーバーを介して、該インスタントメッセージプラットフォームとのデータ伝送を行うことを特徴とする
請求項１記載の携帯式インターネット接続装置の省電力方法。
【請求項４】
該インスタントメッセージプログラムが該第２モード実行のとき、該代理サーバーにて、該インスタントメッセージプラットフォームの伝送データを一時保存して置き、該携帯式インターネット接続装置データ受信の頻度を低減することを特徴とする
請求項３記載の携帯式インターネット接続装置の省電力方法。
【請求項５】
該インスタントメッセージプログラムが該第１モードに復帰したときは、該代理サーバーより、一時保存していたデータを該携帯式インターネット接続装置に伝送することを特徴とする
請求項４記載の携帯式インターネット接続装置の省電力方法。
【請求項６】
該代理サーバーは最新のデータのみを一時保存することを特徴とする
請求項５記載の携帯式インターネット接続装置の省電力方法。
【請求項７】
該代理サーバーは該携帯式インターネット接続装置に接続する無線通信基地局を介して、該携帯式インターネット接続装置の呼出し信号（ｐａｇｉｎｇ）を受信し、該呼出し信号をもとに、該インスタントメッセージプログラムの実行状態を判断し、判断結果を生成することを特徴とする
請求項３記載の携帯式インターネット接続装置の省電力方法。
【請求項８】
該代理サーバーより継続的に、確認メッセージを該携帯式インターネット接続装置に送信し、該確認メッセージの送達をもとに、該インターネットメッセージプログラムの状態を判断し、判断結果を生成することを特徴とする
請求項３記載の携帯式インターネット接続装置の省電力方法。
【請求項９】
該インスタントメッセージプログラムの定期的に行う接続無中断メッセージ、又は対話（ｃｏｎｖｅｒｓａｔｉｏｎ）無中断メッセージの送信機能を中止させ、該代理サーバーは該判断結果をもとに、選択的に該接続無中断メッセージ又は該対話無中断メッセージを該インスタントメッセージプラットフォームへ伝送させることを特徴とする
請求項７又は８記載の携帯式インターネット接続装置の省電力方法。
【請求項１０】
該インスタントメッセージプログラムは、該インスタントメッセージプラットフォームに接続することにより実行を開始し、利用者識別情報を該インスタントメッセージプラットフォームに入力し、ログイン手続きを済ませて、該インスタントメッセージプラットフォームとのデータ伝送を開始し、該インスタントメッセージプログラムが第２モード実行のとき、該インスタントメッセージプラットフォームにて、該携帯式インターネット接続装置に送信されるデータを一時保存して置く、該携帯式インターネット接続装置のデータ受信頻度を低減することを特徴とする
請求項１記載の携帯式インターネット接続装置の省電力方法。
【請求項１１】
無線ネットワーク伝送部と、表示部と、インスタントメッセージ部と、処理部及び電源供給ユニットとを備える携帯式インターネット接続装置において、
該インスタントメッセージ部は、該無線ネットワーク伝送部を介して、インスタントメッセージの受発信を行い、
該処理部は、該無線ネットワーク伝送部と、該インスタントメッセージ部と該表示部に電気的に接続し、
該処理部は、該表示部の可視状態又は非可視状態の制御を提供し、
該電源供給ユニットは、該携帯式インターネット接続装置の稼働電力を提供し、
該表示部が可視状態のとき、該インスタントメッセージ部は第１モードを実行し、
該表示部が非可視状態のとき、該インスタントメッセージ部は第２モードを実行し、かつ、
該インスタントメッセージ部の該第２モード実行中のメッセージ更新頻度を該第１モード実行中のメッセージ更新頻度より低く設定することを特徴とする
携帯式インターネット接続装置。
【請求項１２】
該表示部はバックライトモジュールと液晶パネルとを含み、該表示部の可視状態又は非可視状態は、該バックライトモジュールと該液晶パネルのオン／オフ状態に関連づけることを特徴とする
請求項１１記載の携帯式インターネット接続装置。
【請求項１３】
該インスタントメッセージ部は代理サーバーを接続することにより、該代理サーバーより、利用者識別情報をインスタントメッセージプラットフォームに入力してログイン手続きを済ませて、該代理サーバーを介して、該インスタントメッセージプラットフォームとのデータ伝送を行うことを特徴とする
請求項１１記載の携帯式インターネット接続装置。
【請求項１４】
該インスタントメッセージプログラムが該第２モード実行のとき、該代理サーバーにて、該インスタントメッセージプラットフォームの伝送データを一時保存して置き、該携帯式インターネット接続装置データ受信の頻度を低減することを特徴とする
請求項１３記載の携帯式インターネット接続装置。
【請求項１５】
該インスタントメッセージ部はインスタントメッセージプラットフォームに接続することにより、利用者識別情報を該インスタントメッセージプラットフォームに入力し、ログイン手続きを済ませて、該インスタントメッセージプラットフォームとのデータ伝送を開始し、インスタントメッセージプログラムが該第２モード実行のとき、該インスタントメッセージプラットフォームにて、該携帯式インターネット接続装置に送信されるデータを一時保存して置き、該携帯式インターネット接続装置のデータ受信頻度を低減することを特徴とする
請求項１１記載の携帯式インターネット接続装置。
【請求項１６】
代理サーバー及び携帯式インターネット接続装置とを備えるインスタントメッセージシステムにおいて、
該代理サーバーは、インスタントメッセージプラットフォームと接続を確立し、
該携帯式インターネット接続装置は、該代理サーバーとの接続を確立し、インスタントメッセージコードを実行し、該代理サーバーより、利用者識別情報を該インスタントメッセージプラットフォームに入力して、ログイン手続きを済ませて、該ログイン手続きを完了し、かつ、該携帯式インターネット接続装置は該代理サーバーを介して、該インスタントメッセージプラットフォームとデータ伝送を行い、
該代理サーバーが該携帯式インターネット接続装置のアイドル状態を検出したとき、該代理サーバーは、該インスタントメッセージプラットフォームからの受信データを一時保存して置き、該携帯式インターネット接続装置のデータ受信頻度を低減することを特徴とする
インスタントメッセージシステム。
【請求項１７】
該代理サーバーが該携帯式インターネット接続装置の非アイドル状態を検出したとき、該代理サーバーは、一時保存されたデータを該携帯式インターネット接続装置に伝送することを特徴とする
請求項１６記載のインスタントメッセージシステム。
【請求項１８】
該携帯式インターネット接続装置の表示部が非可視状態のとき、実行中の該インスタントメッセージコードは、該代理サーバーに、該携帯式インターネット接続装置のアイドル状態を通知し、該携帯式インターネット接続装置の表示部が可視状態のとき、実行中の該インスタントメッセージコードは、該代理サーバーに、該携帯式インターネット接続装置が非アイドル状態のことを通知することを特徴とする
請求項１６記載のインスタントメッセージシステム。
【請求項１９】
該携帯式インターネット接続装置の表示部はバックライトモジュールと液晶パネルとを含み、該表示部の可視状態又は非可視状態は、該バックライトモジュールと該液晶パネルのオン／オフ状態に関連づけることを特徴とする
請求項１８記載のインスタントメッセージシステム。
【請求項２０】
該代理サーバーは最新のデータのみを一時保存することを特徴とする
請求項１６記載のインスタントメッセージシステム。
【請求項２１】
該代理サーバーは該携帯式インターネット接続装置に接続する無線通信基地局を介して、該携帯式インターネット接続装置の呼出し信号(ｐａｇｉｎｇ)を受信し、該呼出し信号をもとに、該インスタントメッセージプログラムコードの実行状態を判断し、判断結果を生成することを特徴とする
請求項１６記載のインスタントメッセージシステム。
【請求項２２】
該代理サーバーより継続的に、確認メッセージを該携帯式インターネット接続装置に送信し、該確認メッセージの送達をもとに、該インスタントメッセージプログラムコードの実行状態を判断し、判断結果を生成することを特徴とする
請求項１６記載のインスタントメッセージシステム。
【請求項２３】
実行中の該インスタントメッセージコードにより、定期的に行う接続無中断メッセージ、又は対話(ｃｏｎｖｅｒｓａｔｉｏｎ)無中断メッセージの送信機能を中止させ、該代理サーバーはその判断結果をもとに、該接続無中断メッセージ又は該対話無中断メッセージを該インスタントメッセージプラットフォームへの伝送を選択することを特徴とする
請求項２１又は２２記載のインスタントメッセージシステム。
【手続補正２】
【補正対象書類名】明細書
【補正対象項目名】全文
【補正方法】変更
【補正の内容】
【発明の詳細な説明】
【技術分野】
【０００１】
本発明は携帯式インターネット接続装置の省電力方法に関わり、特に携帯式インターネット接続装置のインスタントメッセージサービスの消費電力を低減する方法に関わる。
【背景技術】
【０００２】
現在、携帯電話、又はインスタントメッセージ装置などの携帯式インターネット接続装置によるインスタントメッセージサービスの利用の人が多く増えつつある。しかしながら、携帯式装置をインターネットに接続して、インスタントメッセージサービスを利用する場合、その電力の利用時間を如何に長くすることが重要な課題となっている。このほか、利用者の携帯式インターネット接続装置がアイドル状態であっても、インスタントメッセージのプログラムの実行を中止しない限り、インスタントメッセージのプログラムは引き続きに、インスタントメッセージプラットフォームと頻繁にデータ交換をするため、携帯式インターネット接続装置に不要な電気消費が強いられる。
【発明の開示】
【発明が解決しようとする課題】
【０００３】
利用者がインスタントメッセージプラットフォームにログインした後、すべてのコンタクト先の状態を更新するため、携帯式装置はサーバープラットフォームと、絶えずに更新データを互いに伝送される。一方、利用者のコンタクト先の数が多いほど、携帯式インターネット接続装置がダウンロードする更新データ量も膨大となり、携帯式インターネット接続装置の電力消耗も多くなる。本発明は、前記した公知技術の問題点に鑑みてなされたもので、携帯式インターネット接続装置に不要な電気消費を避けられる携帯式インターネット接続装置の省電力方法、携帯式インターネット接続装置及びそのインスタントメッセージシステムを提供することを主な目的とする。
【課題を解決するための手段】
【０００４】
本発明のもう一つの目的は、該携帯式インターネット接続装置に所定のインスタントメッセージプログラムを実行させる、携帯式インターネット接続装置の省電力方法を提供することにある。本発明による省電力方法は以下の手順を含める。まず、携帯式インターネット接続装置の表示部をモニタして、表示部が可視状態のときに第１モードを、表示部が非可視状態のときに第２モードを、それぞれにインスタントメッセージプログラムに実行させる。そのうち、インスタントメッセージプログラムが第２モードにおいて実行されるメッセージ更新頻度は第１モードよりも低く設定される。
【０００５】
なお、該表示部はバックライトモジュールと液晶パネルとを含め、該表示部の可視状態又は非可視状態は、該バックライトモジュールと該液晶パネルのオン／オフ状態に関連付けられる。
【０００６】
本発明による省電力方法はさらに代理サーバーを含める。インスタントメッセージプログラムの実行時に、該代理サーバーと接続して、該代理サーバーを介して、利用者識別情報をインスタントメッセージプラットフォームに伝送してログイン手続きを済ませると共に、該代理サーバーを介して、該インスタントメッセージプラットフォームとデータ伝送を行う。
【０００７】
次に、インスタントメッセージプログラムが第２モードを実行するとき、代理サーバーより該インスタントメッセージプラットフォームからのデータを一時保存して、携帯式インターネット接続装置のデータ受信頻度を低減させる。
【０００８】
代理サーバーは携帯式インターネット接続装置に接続する無線通信基地局を介して、携帯式インターネット接続装置の呼出し信号（ｐａｇｉｎｇ）を受信し、該呼出し信号をもとに、該インスタントメッセージプログラムの実行状態を判断する。
【０００９】
本発明のさらに一つの目的は、無線ネットワーク伝送部と、表示部と、インスタントメッセージ部と、処理部と、電源供給ユニットとを備える、携帯式インターネット接続装置を提供することにある。インスタントメッセージ部は無線ネットワーク伝送部を介して、インスタントメッセージの受発信を行う。処理部は、無線ネットワーク伝送部と、インスタントメッセージ部と表示部とを電気的に接続し、表示部の可視状態又は非可視状態の制御を行う。電源供給ユニットは、携帯式インターネット接続装置の稼働電力を提供する。そこで、表示部が可視状態のとき、インスタントメッセージ部は第１モードを実行し、表示部が非可視状態のとき、インスタントメッセージ部は第２モードを実行する。また、インスタントメッセージ部の第２モード実行中のメッセージ更新頻度が第１モード実行中のメッセージ更新頻度よりも低く設定される。
【００１０】
なお、該表示部はバックライトモジュールと液晶パネルを含み、該表示部の可視状態又は非可視状態は、該バックライトモジュールと該液晶パネルのオン／オフ状態に関連づけられる。
【００１１】
インスタントメッセージ部は代理サーバーに接続され、該代理サーバーを介して、利用者識別情報をインスタントメッセージプラットフォームに伝送してログイン手続きを済ませると共に、代理サーバーを介して、インスタントメッセージプラットフォームとデータ伝送を行う。
【００１２】
本発明のさらに一つの目的は、代理サーバーと携帯式インターネット接続装置を含める、インスタントメッセージシステムを提供することにある。代理サーバーはインスタントメッセージプラットフォームと、携帯式インターネット接続装置は代理サーバーとの接続をそれぞれ確立した上、インスタントメッセージプログラムを実行し、代理サーバーを介して利用者識別情報をインスタントメッセージプラットフォームに伝送してログイン手続きを済ませると共に、携帯式インターネット接続装置は代理サーバーを介して、インスタントメッセージプラットフォームとデータ伝送を行う。また、代理サーバーは、携帯式インターネット接続装置のアイドル状態を検出したとき、インスタントメッセージプラットフォームからの受信データを一時保存しておき、該携帯式インターネット接続装置のデータ受信頻度を低減させる。
【００１３】
代理サーバーは携帯式インターネット接続装置が非アイドル状態を検出したとき、代理サーバーに一時保存されていたデータを携帯式インターネット接続装置に伝送する。
【００１４】
また、携帯式インターネット接続装置の表示部が非可視状態のとき、実行中のインスタントメッセージプログラムより、携帯式インターネット接続装置がアイドル状態と代理サーバーに通知し、可視状態のとき、実行中のインスタントメッセージプログラムより、携帯式インターネット接続装置が非アイドル状態と代理サーバーに通知する。
【００１５】
なお、該携帯式インターネット接続装置の表示部はバックライトモジュールと液晶パネルを含み、該表示部の可視状態又は非可視状態は、該バックライトモジュールと該液晶パネルのオン／オフ状態に関連づけられる。
【００１６】
代理サーバーは、携帯式インターネット接続装置が接続する無線通信基地局を介して、携帯式インターネット接続装置の呼出し信号（ｐａｇｉｎｇ）を受信し、該呼出し信号をもとに、該インスタントメッセージプログラムの実行状態を判断し、判断結果を生成する。
【００１７】
また、代理サーバーより継続的に、確認メッセージを携帯式インターネット接続装置に送信し、確認メッセージの送達をもとに、インスタントメッセージプログラムの状態を判断し、判断結果を生成する。
【発明の効果】
【００１８】
前記の説明から、本発明による携帯式インターネット接続装置の省電力方法、携帯式インターネット接続装置及び該インスタントメッセージプログラムによれば、以下の一つ又は複数の長所を有する。
（イ）本発明による携帯式インターネット接続装置がアイドル状態のときに、インスタントメッセージプログラムの電気消費を確実に低減できる。
（ロ）利用者のコンタクト先の数が増えたとき、本発明による携帯式インターネット接続装置は、消費電力の増加度合いを確実に低減できる。
【発明を実施するための最良の形態】
【００１９】
＜実施例１＞
図１は、本発明によるインスタントメッセージシステムの実施例１のブロック図を示す。この図において、インスタントメッセージシステム１は、携帯式インターネット接続装置１１と、代理サーバー（Ｐｒｏｘｙ）１０とを含める。携帯式インターネット接続装置１１は、無線ネットワーク伝送部１２と、表示部１３と、インスタントメッセージ部１４と、処理部１５と電源供給ユニット１６とを含める。電源供給ユニット１６は、携帯式インターネット接続装置１１の稼働電力を提供する。インスタントメッセージ部１４は、無線ネットワーク伝送部１２を介して代理サーバー１０に接続されると共に、代理サーバー１０を介して、利用者識別情報１４１をインスタントメッセージプラットフォーム１９１に伝送してログイン手続きを完成した後、インスタントメッセージ部１４は代理サーバー１０を介して、インスタントメッセージプラットフォーム１９１とデータ伝送を行い、代理サーバー１０はインスタントメッセージプラットフォーム１９１からの送信データを受信すると、直ちにインスタントメッセージ部１４に伝送する。特に注意したいことは、無線ネットワーク伝送部１２を有線ネットワーク伝送部に代わることもできる。
【００２０】
一例として、インスタントメッセージ部１４はＩＰアドレス又は接続ポートＩＤなどの携帯式インターネット接続装置１１の現時点のネットワーク接続関連データをインスタントメッセージプラットフォーム１９１にアップロードして、遠隔側のインターネット装置１９２の読み取りに供する。同じく、利用者の友だちはすでにインターネット装置１９２により、インスタントメッセージプラットフォーム１９１に登録しておけば、インスタントメッセージ部１４はインスタントメッセージプラットフォーム１９１に保存されたインターネット装置１９２のネットワーク接続関連データに基づいて、代理サーバー１０を介して、アドレス情報とインスタントテキストメッセージの受発信ができる。さらに、インスタントメッセージ部１４は代理サーバー１０を介して、インスタントメッセージプラットフォーム１９１へのオン／オフする対話を行うことができる。
【００２１】
処理部１５は、無線ネットワーク伝送部１２と、インスタントメッセージ部１４と表示部１３とを電気的に接続し、処理部１５は表示部１３の可視状態又は非可視状態の制御を提供する。一例として、処理部１５は設定時間内に、利用者による触発信号の入力がないとき、利用者は設定時間内に、携帯式インターネット接続装置１１を操作しいないことを意味する。そこで、携帯式インターネット接続装置１１の電気消費を節約し、使用時間を長くするため、処理部１５より表示部１３を非可視状態の変更制御を行い、表示部１３の電気消費を節約する。一方、利用者現在は携帯式インターネット接続装置１１を使用していないため、表示部１３を非可視状態に変更することは、利用者はその影響を受けていない。表示部１３が非可視状態のとき、携帯式インターネット接続装置１１のアイドル状態（Ｉｄｌｅ）と見なされる。処理部１５はその後の利用者より入力された触発信号を受信したとき、表示部１３を可視状態に制御変更して、利用者の操作に便ならしめる。
【００２２】
表示部１３は、バックライトモジュール１３１と液晶パネル１３２を含める。表示部１３の可視状態又は非可視状態はバックライトモジュール１３１と液晶パネル１３２とのオン／オフに関連づけは、携帯式インターネット接続装置１１の設計者より定義できる。例えば、バックライトモジュール１３１がオフ、かつ、液晶パネル１３２もオフのとき、表示部１３を非可視状態と見なす。これに対して、バックライトモジュール１３１がオン、かつ、液晶パネル１３２もオンのとき、又はバックライトモジュール１３１がオフ、かつ、液晶パネル１３２がオンのとき、表示部１３を可視状態と見なすなどができる。設計者は、バックライトモジュール１３１がオフ、かつ、液晶パネル１３２がオンのときに、表示部１３を非可視状態と見なすことができる。
【００２３】
表示部１３が非可視状態のとき、利用者はインスタントメッセージプラットフォーム１９１上の他のコンタクト先のオンライン状態を気にしていないことを意味する。このとき、インスタントメッセージ部１４のメッセージ更新頻度を低下させる。すなわち、インスタントメッセージプラットフォーム１９１とのデータ交換回数を減らすか、又はインスタントメッセージプラットフォーム１９１とのデータ受信を中止することで、無線ネットワーク伝送部１２の電気消費を低減させると共に、インスタントメッセージ部１４より通知メッセージ１４２を代理サーバー１０に送信し、代理サーバー１０に携帯式インターネット接続装置１１の現時点のアイドル状態を通知して、代理サーバー１０より必要に応じて、必要な応答を行わせる。例えば、代理サーバー１０により、他のコンタクト先の状況更新データなどをそのままインスタントメッセージ部１４に送信しないで、インスタントメッセージプラットフォーム１９１の一時データ１０１を保存して置き、インスタントメッセージ部１４から代理サーバー１０に送信許可の通知を受信してから、データ伝送を行うことができる。これにより、該携帯式インターネット接続装置のデータ受信頻度を確実に低減できる。なお、一時データ１０１に最新データのみが含まれているため、インスタントメッセージ部１４の受信データが最新もので、かつ、データ量も少なくなる。
【００２４】
引き続きに、表示部１３が可視状態のとき、インスタントメッセージ部１４は代理サーバー１０に対して、携帯式インターネット接続装置１１の現時点は非アイドル状態のことを通知し、代理サーバー１０より一時データ１０１をインスタントメッセージ部１４に伝送することができる。
【００２５】
＜実施例２＞
図２は、本発明によるインスタントメッセージシステムの実施例２のブロック図を示す。利用者がいずれの操作をしていないとき、インスタントメッセージ部１４はバックグランド操業にて、定期的に接続無中断メッセージ又は対話（ｃｏｎｖｅｒｓａｔｉｏｎ）無中断メッセージをインスタントメッセージプラットフォーム１９１に送信する。インスタントメッセージ部１４がログインした後は、定期的に接続無中断メッセージを含めたパケットをインスタントメッセージプラットフォーム１９１に送信し、インスタントメッセージプラットフォーム１９１に該インスタントメッセージ部１４とインスタントメッセージプラットフォーム１９１との接続が中断していないことを連絡する。利用者がいずれかのコンタクト先との対話を始めると、インスタントメッセージ部１４は定期的に対話無中断のメッセージを含めたパケットをインスタントメッセージプラットフォーム１９１に送信し、インスタントメッセージプラットフォーム１９１に対話が中断されていないことを通知する。しかし、前記の無中断メッセージが定期的に送信されることは、無線ネットワーク伝送部１２にとって、大量な電気消費となる。
【００２６】
よって、図２に示すよう、インスタントメッセージシステム２とインスタントメッセージシステム１との違いは、代理サーバー２０を携帯式インターネット接続装置１１の無線通信基地局２９に接続することにより、携帯式インターネット接続装置１１の呼出し信号２９１（ｐａｇｉｎｇ）を受信する。携帯式インターネット接続装置１１と無線接続するときは、まず、無線通信基地局２９との接続を確立してから、携帯式インターネット接続装置１１と無線通信基地局２９との間は呼出し信号２９１を定期的に送信される。このために、代理サーバー２０は呼出し信号２９１をもとに、インスタントメッセージ部１４の稼働状態を確認できる。
【００２７】
まずは、インスタントメッセージ部１４の接続無中断メッセージ又は対話（ｃｏｎｖｅｒｓａｔｉｏｎ）無中断メッセージの定期送信機能を中止させ、代理サーバー２０より接続無中断メッセージをインスタントメッセージプラットフォーム１９１に送信するか、又は利用者により対話を起動されるとき、代理サーバー２０より対話無中断のメッセージをインスタントメッセージプラットフォーム１９１に送信させる。これにより、無線ネットワーク伝送部１２の電気消費は低減される。一方、代理サーバー２０は以下の処理を実行する。
（イ）代理サーバー２０は呼出し信号２９１をもとに、インスタントメッセージ部１４のログアウトを判断した場合、接続無中断メッセージをインスタントメッセージプラットフォーム１９１への送信を中止し、インスタントメッセージ部１４に代わって、ログアウトメッセージをインスタントメッセージプラットフォーム１９１に送信される。
（ロ）代理サーバー２０は呼出し信号２９１をもとに、インスタントメッセージ部１４は現時点に応答できないことを判断した場合、一定時間経過後、インスタントメッセージ部１４なお応答がないとき、代理サーバー２０は接続無中断メッセージをインスタントメッセージプラットフォーム１９１への送信を中止し、インスタントメッセージ部１４に代わって、ログアウトメッセージをインスタントメッセージプラットフォーム１９１に送信される。
（ハ）利用者が対話機能を中止すると、代理サーバー２０は対話無中断のメッセージをインスタントメッセージプラットフォーム１９１への伝送を中止する。
【００２８】
＜実施例３＞
代理サーバー２０は、呼出し信号２９１によるインスタントメッセージ部１４の稼働状態を確認する手段のほか、確認メッセージを携帯式インターネット接続装置１１に継続的に伝送することにより、該確認メッセージが送達か否かをインスタントメッセージ部１４の稼働状態を判断し、この方式を呼出し信号による判断方式に代わる。
【００２９】
前記のインスタントメッセージ部１４を実現する方法は、マイクロプロセッサーがインスタントメッセージプログラムの実行により、前記のインスタントメッセージサービスを提供するか、又はインスタントメッセージプログラムを内蔵されたチップを実行することができる。前段における稼働中のインスタントメッセージ部１４について、実務上はマイクロプロセッサーによるインスタントメッセージプログラムの実行、又はインスタントメッセージプログラムを内蔵されたチップの実行による。
【００３０】
＜実施例４＞
図７に、本発明によるインスタントメッセージシステムの実施例４のブロック図を示す。図示の通り、実施例４と前記の実施例との違いは、インスタントメッセージ部１４は、無線ネットワーク伝送部１２により、インスタントメッセージプラットフォーム１９１との接続を確立し、利用者識別情報１４１をインスタントメッセージプラットフォーム１９１に入力してログイン手続きを済ませる。さらに、インスタントメッセージ部１４はログインの後に、インスタントメッセージプラットフォーム１９１とのデータ伝送を行うことができる。表示部１３が非可視状態のとき、インスタントメッセージ部１４より通知メッセージ１４２をインスタントメッセージプラットフォーム１９１に送信し、インスタントメッセージプラットフォーム１９１に、携帯式インターネット接続装置１１のアイドル状態を通知し、インスタントメッセージプラットフォーム１９１は必要に応じて、対応動作する。例えば、インスタントメッセージプラットフォーム１９１は携帯式インターネット接続装置１１へのデータ伝送の再開通知を入手するまでに、他のコンタクト先の状況更新データなど、携帯式インターネット接続装置１１の一時データ１０１をインスタントメッセージプラットフォーム１９１に一時保存しておく、該一時データ１０１を携帯式インターネット接続装置１１への送信を中止させる。これにより、携帯式インターネット接続装置１１のデータ受信頻度を確実に低減する。なお、実施例４ほかの内容は実施例１に類似するため、ここでの詳細説明を省略する。
【００３１】
そして、インスタントメッセージ部１４がメッセージ更新頻度を低下すると、代理サーバー１０はメッセージ更新頻度の低下による問題の解決に助けることができる。ただし、実務において代理サーバー１０は必需装置でない。インスタントメッセージ部１４は代理サーバー１０を設けないままで、メッセージ更新頻度を低下することができる。これにより、携帯式インターネット接続装置１１の消費電力の節約効果を実現できる。
【００３２】
図３は、本発明による携帯式インターネット接続装置の省電力方法の手順フロー図を示す。この図において、本発明による省電力方法は以下の手順を含める。手順３１において、携帯式インターネット接続装置の表示部の監視を行い、該携帯式インターネット接続装置より、インスタントメッセージプログラムを実行し、利用者識別情報をインスタントメッセージプラットフォームに入力して、ログイン手続きを完成する。ログインした後は、インスタントメッセージプラットフォームとデータ伝送できる。手順３２において、表示部が可視状態か否かを判断する。仮に表示部が可視状態のとき、例えば、表示部のバックライトモジュールと液晶パネルともオン状態であれば、利用者は表示画面を見ることができる。手順３３において、インスタントメッセージプログラムが第１モードを実行、該第１モードはインスタントメッセージプログラムが正常にデータを受発信するモードである。仮に表示部が非可視状態のとき、例えば、表示部のバックライトモジュールと液晶パネルともオフ状態であれば、利用者は表示画面を見ることができない。このときは、手順３４において、インスタントメッセージプログラムは第２モードを実行させ、かつ、インスタントメッセージプログラムの第２モードにおけるメッセージ更新頻度を第１モードにおける更新頻度より低く設定する。インスタントメッセージプログラムより、インスタントメッセージプラットフォームに、携帯式インターネット接続装置が第２モード実行中のことを通知すると、インスタントメッセージプラットフォームは携帯式インターネット接続装置へのデータ伝送の再開が通知されるまで、インスタントメッセージプラットフォームより、携帯式インターネット接続装置に伝送しようとするデータを一時保存して、携帯式インターネット接続装置とのデータ伝送を中止させる。これにより、携帯式インターネット接続装置のデータ受信頻度を確実に低減する。
【００３３】
携帯式インターネット接続装置は、利用者は所定の時間に操作がないと、アイドルモードが実行され、表示部は非可視状態のとき、メッセージ更新頻度を低下させるか、又は無線データの受発信を中止させるなど、携帯式インターネット接続装置の電気消費を低減する。
【００３４】
図４は本発明による携帯式インターネット接続装置の省電力方法の実施例１の手順フロー図を示す。図示の通り、該省電力方法は携帯式インターネット接続装置に実施され、以下の手順を含める。手順４１において、インスタントメッセージプラットフォームと接続する代理サーバーを設置する。手順４２において、インスタントメッセージプログラムを実行し、代理サーバーより、利用者識別情報をインスタントメッセージプラットフォームに入力して、ログイン手続きを済ませて、代理サーバーを介して、インスタントメッセージプラットフォームとのデータ伝送を行う。手順４３において、表示部が可視状態か否かを判断する。表示部が非可視状態のとき、手順４４において、インスタントメッセージプログラムのデータ受信頻度を中止し、代理サーバーに通知する。引き続きに、手順４５において、代理サーバーにて、インスタントメッセージプラットフォームからのデータを一時保存する。そのうち、一時保存されるデータは、最新データのみである。引き続きに、手順４６において、表示部が可視状態であるか否かを判断し、非可視状態のとき、手順４５を実行する。可視状態のとき、手順４７において、インスタントメッセージプログラムのデータ送受信を再開させる共に、代理サーバーで一時保存されたデータを携帯式インターネット接続装置に伝送させる。
【００３５】
図５は、本発明による携帯式インターネット接続装置の省電力方法の実施例２の手順フロー図を示す。図示の通り、該省電力方法は携帯式インターネット接続装置に実施され、以下の手順を含める。手順５１において、無線通信基地局にて、インスタントメッセージプラットフォームと接続する代理サーバーを設置する。手順５２において、インスタントメッセージプログラムを実行し、代理サーバーより、利用者識別情報をインスタントメッセージプラットフォームに入力して、ログイン手続きを済ませて、代理サーバーを介して、インスタントメッセージプラットフォームとのデータ伝送を行う。手順５３において、インスタントメッセージプログラムによる接続無中断メッセージを定期的に伝送する機能を中止させ、代理サーバーより接続無中断メッセージをインスタントメッセージプラットフォームに伝送する。手順５４において、代理サーバーは無線通信基地局を介して、携帯式インターネット接続装置の呼出し信号を受信する。手順５５において、代理サーバーは呼出し信号をもとに、インスタントメッセージプログラムのログアウトを判断する。ログアウトされた場合は、手順５６において、代理サーバーの無線無中断メッセージをインスタントメッセージプラットフォームへの送信を中止させ、ログアウトメッセージをインスタントメッセージプラットフォームに送信する。ログアウトしていない場合は、手順５７において、呼出し信号をもとに、インスタントメッセージプログラム応答の可否を判断し、応答可能のとき、手順５４を実行する。
【００３６】
インスタントメッセージプログラムに応答できないとき、手順５８において、一定時間経過後、再び呼出し信号をもとに、インスタントメッセージプログラムに応答可否を判断する。応答可能のときは、手順５４を実行し、応答不可のときは、手順５６を実行する。
【００３７】
このほか、利用者より対話を開始されると、代理サーバーは周期的に対話無中断のメッセージをインスタントメッセージプラットフォームに送信される。代理サーバーが呼出し信号をもとに、インスタントメッセージプログラムのログアウトを判断したとき、代理サーバーはインスタントメッセージプラットフォームへの対話無中断メッセージの伝送を中止する。
【００３８】
図６に、本発明による携帯式インターネット接続装置の省電力方法の実施例３の手順フロー図を示す。図示の通り、実施例３と実施例２との違いは、手順６４、手順６５、と手順５７を手順５４、手順５５、と手順５７に代わるところにある。手順６４において、代理サーバーより、確認メッセージを携帯式インターネット接続装置へ継続的に伝送する。手順６５において、代理サーバーは確認メッセージをもとに、インスタントメッセージプログラムのログアウトを確認し、ログアウトした場合は、手順５６を実行し、ログアウトしていない場合は、手順６７を実行する。以上は実施例の列挙であり、本発明になんらの制限を加わるものではない。本発明の精神と範疇を逸脱しない限り、その等効果修正又は変更は、なお、本特許請求の範囲に含まれるものとする。
【図面の簡単な説明】
【００３９】
【図１】本発明によるインスタントメッセージシステムの実施例１のブロック図である。
【図２】本発明によるインスタントメッセージシステムの実施例２のブロック図である。
【図３】本発明による携帯式インターネット接続装置の省電力方法の手順フロー図である。
【図４】本発明による携帯式インターネット接続装置の省電力方法の実施例１の手順フロー図である。
【図５】本発明による携帯式インターネット接続装置の省電力方法の実施例２の手順フロー図である。
【図６】本発明による携帯式インターネット接続装置の省電力方法の実施例３の手順フロー図である。
【図７】本発明によるインスタントメッセージシステムの実施例４のブロック図である。
【符号の説明】
【００４０】
１，２        インスタントメッセージシステム
１０，２０    代理サーバー
１０１        一時データ
１１          携帯式インターネット接続装置
１２          無線ネットワーク伝送部
１３          表示部
１３１        バックライトモジュール
１３２        液晶パネル
１４          インスタントメッセージ部
１４１        利用者識別情報
１４２        通知メッセージ
１５          処理部
１６          電源供給ユニット
１９１        インスタントメッセージプラットフォーム
１９２        インターネット装置
２９          無線通信基地局
２９１        呼出し信号
２９２        接続無中断メッセージ
２９３        対話無中断メッセージ
３１〜３４，４１〜４７，５１〜５８，６４〜６７      手順フロー
【手続補正３】
【補正対象書類名】図面
【補正対象項目名】図１
【補正方法】変更
【補正の内容】
【図１】
2010044732.tif 000010
【手続補正４】
【補正対象書類名】図面
【補正対象項目名】図２
【補正方法】変更
【補正の内容】
【図２】
2010044732.tif 000011
【手続補正５】
【補正対象書類名】図面
【補正対象項目名】図３
【補正方法】変更
【補正の内容】
【図３】
2010044732.tif 000012
【手続補正６】
【補正対象書類名】図面
【補正対象項目名】図４
【補正方法】変更
【補正の内容】
【図４】
2010044732.tif 000013
【手続補正７】
【補正対象書類名】図面
【補正対象項目名】図５
【補正方法】変更
【補正の内容】
【図５】
2010044732.tif 000014
【手続補正８】
【補正対象書類名】図面
【補正対象項目名】図６
【補正方法】変更
【補正の内容】
【図６】
2010044732.tif 000015
【手続補正９】
【補正対象書類名】図面
【補正対象項目名】図７
【補正方法】変更
【補正の内容】
【図７】
2010044732.tif 000016